(57)【特許請求の範囲】
【請求項１】
少なくとも二方に開口が設けられたケースに、周囲にテープを巻回し且つそのテープを巻取り付勢するコイルバネが内装された回転ドラムを軸支するテープユニットを一方の開口より挿入し、また、該テープユニットに係着可能なカバーをもう一方の開口より挿入して、該カバーと前記テープユニットとを互いに所定の部位で係着すると共に、同時にこれらとケースとを一体化することにより組み立てることを特徴とする巻尺の製造方法であって、
前記ケースの開口が、ケースの前方および後方の端に形成されていることを特徴とする巻尺の製造方法
【請求項２】
少なくとも二方に開口が設けられたケースに、周囲にテープを巻回し且つそのテープを巻取り付勢するコイルバネが内装された回転ドラムを軸支するテープユニットを一方の開口より挿入し、また、該テープユニットに係着可能なカバーをもう一方の開口より挿入して、該カバーと前記テープユニットとを互いに所定の部位で係着すると共に、同時にこれらとケースとを一体化することにより組み立てることを特徴とする巻尺の製造方法であって、
前記ケースの開口が、ケースの上方および下方の端に形成されていることを特徴とする巻尺の製造方法
【請求項３】
少なくとも二方に開口が設けられたケースに、周囲にテープを巻回し且つそのテープを巻取り付勢するコイルバネが内装された回転ドラムを軸支するテープユニットを一方の開口より挿入し、また、該テープユニットに係着可能なカバーをもう一方の開口より挿入して、該カバーと前記テープユニットとを互いに所定の部位で係着すると共に、同時にこれらとケースとを一体化することにより組み立てることを特徴とする巻尺の製造方法であって、
前記ケースの開口が、ケースの前方および後方の端、さらには上方または下方の端に形成されていることを特徴とする巻尺の製造方法
【請求項４】
少なくとも二方に開口が設けられたケースに、周囲にテープを巻回し且つそのテープを巻取り付勢するコイルバネが内装された回転ドラムを軸支するテープユニットを一方の開口より挿入し、また、該テープユニットに係着可能なカバーをもう一方の開口より挿入して、該カバーと前記テープユニットとを互いに所定の部位で係着すると共に、同時にこれらとケースとを一体化することにより組み立てることを特徴とする巻尺の製造方法であって、
前記ケースの開口が、ケースの上方および下方の端、さらには前方または後方の端に形成されていることを特徴とする巻尺の製造方法
【請求項５】
前記テープユニットおよび前記カバーが、前記ケースの開口の蓋となることを特徴とする請求項１〜４のいずれかに記載の巻尺の製造方法
【請求項６】
前記ケースの開口を、前記テープユニットおよび前記カバーによって閉塞することを特徴とする請求項１〜４のいずれかに記載の巻尺の製造方法
【請求項７】
前記テープユニットの前記ケースとの係合部位を、ケースの開口の周縁の一部または全部としていることを特徴とする請求項１〜４のいずれかに記載の巻尺の製造方法
【請求項８】
前記カバーの前記ケースとの係合部位を、ケースの開口の周縁の一部または全部としていることを特徴とする請求項１〜４のいずれかに記載の巻尺の製造方法
【発明の詳細な説明】
【０００１】
【産業上の利用分野】
本発明は、自動巻取式の巻尺の製造方法に関するものである。
【０００２】
【従来技術と問題点】
従来、テープを自動的に巻取る自動巻取式の巻尺は、巻胴部にテープを巻回すと共にそのテープを巻取り付勢するためのコイルバネが内装された回転ドラムと、その回転ドラムを収納するケースとから構成されている。
また、ケースは中央から左右に分かれる形態のもので、左右それぞれのハーフケースが樹脂一体成型により形成されて、一方のハーフケースに立設された軸に回転ドラムを軸止させると共に、ケースのテープ出入口からテープ先端に設けられている係止片を外部に出し、他方のハーフケースをその一方のハーフケースに嵌合させて固定用のネジで左右のハーフケースを固定して組み立てられている。
【０００３】
上述のように、巻尺の組み立てには左右のハーフケースを固定するための固定用のネジが欠かせないのであるが、このネジによる固定部位は、巻尺の取扱性や構造上の制限から巻尺の下方の前方または／および後方と巻尺の中央部分の箇所だけとなる。従って、ネジの締め付け状態によっては巻尺の耐衝撃性に多大な影響を及ぼしかねないのである。
具体的には、ネジの締付力の強弱や各ネジの締付力のアンバランスによって巻尺を落とした時の衝撃力の作用が増大して、ケースを周回する左右のハーフケースの合わせ目の特にケースの上方の部分がズレたり、また、そのズレによってケースが破損してしまうことがある。
【０００４】
【目的】
本発明は上述した問題点に鑑みてなされたもので、ケースの耐衝撃性を向上させることができ、また、ネジを使用することなく組み立てることができる巻尺の製造方法を提供することを目的とするものである。
【０００５】
【問題を解決するための手段】
本発明の要旨とするところは、少なくとも二方に開口が設けられたケースに、周囲にテープを巻回し且つそのテープを巻取り付勢するコイルバネが内装された回転ドラムを軸支するテープユニットを一方の開口より挿入し、また、該テープユニットに係着可能なカバーをもう一方の開口より挿入して、該カバーと前記テープユニットとを互いに所定の部位で係着すると共に、同時にこれらとケースとを一体化することにより組み立てることを特徴とする巻尺の製造方法である。
【０００６】
本発明の巻尺の製造方法を詳しく説明すると、ケースとは後述のテープユニットおよび後述のカバーの一部または全部を収容するものである。
そのケースは、アルミまたステンレスさらにはチタン等の金属素材を折曲げやプレスまたダイキャストや押出し等の方法により少なくとも二方に開口を設けて形成するのがよい。すなわち、ケースの対向する方向の両端の部分に開口を設けている謂筒状、あるいは、ケースの対向する方向の両端の部分とさらにもう一方の端の部分に開口を設けている謂コ字状の形状である。勿論、上述の金属素材に限ることはなく、他の適当な金属素材または塩化ビニールやポリカーボネート等の適当な樹脂素材を用いてもよい。
【０００７】
その開口を設ける部位としては、二方の場合ではテープユニットおよびカバーのケースへの挿入と共にテープユニットとカバーとが係着できれば何処でもよいが、具体的には、ケースの前方および後方の端、あるいは、上方および下方の端がよい。また、上述のようなケースとテープユニットおよびカバーとの関係が成立可能であれば開口を設ける部位をケースの右側方および左側方の端でもよい。
そして、三方の場合ではテープユニットおよび単数また複数のカバーのケースへの係合と共にテープユニットとそれらのカバーとが係着できれば何処でもよいが、具体的には、ケースの前方および後方および上方または下方の端、あるいは、上方および下方および前方または後方の端がよい。
【０００８】
その具体的に示された部位で、ケースの前方とはテープの出入口が設けられている部分の方向であり、上方とはその前方部分に連続して設けられている天井方向の部分であり、後方とはその上方の部分に連続して設けられている前方部分に対向する部分である巻尺の後部であり、下方とはその後方部分に連続して設けられている上方部分に対向する部分である巻尺の底部である。
【０００９】
そのケースの形状も、側面視で円形・四角形・多角形・それらを組合せた形状、また、立体的には立方体・略球体等で特に限定するものではなく、巻尺の取扱性や携帯性さらにはデザイン性等を考慮して適宜所望の形体に形成すればよい。
そして、ケースに設ける開口においては、テープユニットおよびカバーが挿入または係合できればよく、全面を開口としたりまた開口の周縁からその開口を閉じる方向に適当な張出しを設けた形態の開口としてもよい。
その開口の大きさや形状等も、それぞれを同じにすることなく所望の大きさまた形状のものとすればよい。
【００１０】
テープユニットとは、測定用の機構部分がまとめられているユニットで、内部にテープの巻取り用のコイルバネを収容すると共にテープを巻胴部に巻回する回転ドラムと、この回転ドラムを支持する軸と、カバーと係着するための係着部から構成されているものである。
そのテープユニットは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、テープユニットを適当な金属素材を用いて形成してもよい。
【００１１】
そして、テープユニットの軸、また、カバーと係着させる係着部を含む周辺部分は、樹脂素材または金属素材で一体成型によって形成するのがよい。
また、そのカバーと係着させる係着部の構造また形状等も特に限定するものではなく係着できるようになっていればよい。別部材の係着手段を取付けて係着部としてもよい。
そのテープユニットは、二方に開口が設けられているケースではそのケースの一方の開口から挿入されて、ケースのもう一方の開口から挿入されたカバーと係着される。また、三方に開口が設けられているケースではそのケースの一方の開口に、または、二方の開口に係合され（二方の開口に1個のテープユニットを係合すること）て、ケースの他方の開口に係合された単数または複数のカバーと係着される。
ケースの他方の開口とは、他の単数または複数の開口である。そして、前記テープは外部引き出し可能な状態でケース内に収納される。
【００１２】
従って、ケースとテープユニットとカバーが組み付けられ一体化して巻尺が完成したとき、テープの引き出し方向も特に限定されるものではなく、テープをケースのテープユニットが挿入される開口とほぼ直角の方向に引き出せるように、また、その開口とほぼ平行する方向に引き出せるようにしてもよく、適宜これらを考慮してテープユニットを構成すればよい。
【００１３】
カバーとは、テープユニットに係着するための係着部を有する化粧部材であると共に、テープユニットと係着することによってケースとテープユニットとカバーとが一体化して巻尺が完成する。
そのカバーは、全体また少なくともケースの開口から臨む部分においては滑らかな形成が可能な塩化ビニールまたポリカーボネート等の適当な樹脂素材で形成するのがよい。勿論、上述の樹脂素材に限ることはない。また、カバーを適当な金属素材を用いて形成してもよい。
【００１４】
カバーのテープユニットと係着する係着部を含む周辺部分は、樹脂素材または金属素材で一体成型によって形成するのがよい。
そして、そのテープユニットと係着する係着部の構造また形状等も特に限定するものではなく係着できればよい。別部材の係着手段を取付けて係着部としてもよい。
そのカバーは、二方に開口が設けられているケースではそのケースの一方の開口から挿入されて、ケースのもう一方の開口から挿入されたテープユニットと係着される。また、三方に開口が設けられているケースでは単数または複数のカバーがそのケースの一方または二方の開口に係合されて、ケースの他方の開口に係合されたテープユニットと係着される。すなわち、カバーは二方の開口のそれぞれに1個づつ係合させたり、二方の開口に１個のカバーを係合させてもよい。ケースの他方の開口とは、他の単数または複数の開口である。その係着によりケースはテープユニットとカバーにより挟持される。
【００１５】
前述のテープユニットおよびカバーの所定の部位が係着し、ということは、テープユニットとカバーの所定の部位がケース内またはケース外で何らかの係わりを以って取付き固定されることである。具体的には、カバーに形成された爪が、テープユニットに形成された爪の受け部に嵌ってテープユニットとカバーとが固定できるようにすればよい。勿論、その逆でもよい。また、テープユニットとカバーとは固定できるだけでなく着脱できるようにしてもよい。
前述のテープユニットおよびカバーとが前述のケースと一体化してということは、嵌合やを挟持を含み、特に挟持の場合はケースのそれぞれの開口から挿入、あるいは、ケースのそれぞれの開口に係合されたテープユニットとカバーとが係着することにより、ケースがテープユニットとカバーとの間に挟まれた状態またはそれに近い状態で位置していることである。
【００１６】
上記の状態において、ケースはテープユニットとカバーとの間に固定的に挟まれている状態、または、多少の遊びを持って挟まれている状態であったりするが、本状態はその二つの状態を含むものである。
そして、ケースを挟持するためには、テープユニットおよびカバーはケースと係合できなければならない。その係合とは、ケースの所定の開口から挿入されたテープユニットまたはカバー、あるいは、ケースの所定の開口に係合されたテープユニットまたはカバーが、そのケースと何らかの係わりを以って所定の部位で接触することである。
【００１７】
例えば、ケース内壁に設けられた突起や突状や窪みまたケース自体にテープユニットまたはカバーの所定の部位が当接また嵌合することである。
その係合の部位によっては、テープユニットまたはカバーはそれぞれの開口内に位置したり、また、一部を外部に臨ませて位置するようになる。
そして、ケースのテープユニットまたはカバーとの具体的な係合部位としては開口の周縁部分が望ましい。
【００１８】
その開口をテープユニットおよびカバーで閉塞するようにしてもよい。あるいは、所望の開口のみ閉塞してもよい。
また、テープユニットおよびカバーの適所に壁を形成して、そのテープユニットおよびカバーがケースの開口の蓋となるようにしてもよい。あるいは、所望の開口だけでもよい。
【００１９】
そして、ケースに設けられる開口の方向により、テープユニットまたはカバーにテープを任意の位置で停止させるブレーキ機構を設けてもよい。
その場合、ブレーキ機構の操作レバーまた操作ボタン等のブレーキ操作手段は外部から操作可能にケースから突出させて設けるのがよく、その操作手段の形状や設置部位等も特に限定するものではなく好適な部位に設ければよい。
勿論、ケースの好適な部位に設けてもよく、具体的には、ケースの形体により側面・前面・上面・底面にすればよい。
【００２０】
そのブレーキ機構またブレーキ操作形態は、引き出したテープを停止させておくことができればよく特にそれらを限定するものではない。具体的には、引き出したテープが停止操作することなく停止していて、操作レバーや操作ボタン等のブレーキ操作手段を操作することによってブレーキが解除できるようにしたり、また、そのブレーキ操作手段を操作しているときだけテープが停止できるようにすればよい。そして、後者の場合においては、ブレーキ操作手段から指を離していてもテープが停止可能なように停止ロックができるようにしてもよい。
さらには、ケースに設けられる開口の方向により、テープユニットまたはカバーの適宜部位に巻尺を携帯するときに用いられるストラップを取付けてもよい。
勿論、ケースの適宜部位に取付けてもよい。
【００２１】
【作用】
本発明の巻尺の製造方法は以上のように、二方に開口を設けた筒状または三方に開口を設けたコ字状に一体成型により形成されたケースと、軸および係着部とその周辺部分が一体成型により形成されると共にその軸に周囲にテープを巻回し且つそのテープを巻取り付勢するコイルバネを内装する回転ドラムを軸支するテープユニットと、係着部とその周辺部分が一体成型により形成されたカバーとを係着するだけでそれらが一体化され巻尺が完成する。
すなわち、ケースとテープユニットとカバーを組み付けていくことによってそれらが一体化して巻尺を組み立てることができる。
【００２２】
【実施例】
本発明の巻尺の製造方法を以下図面に従って説明すると、図１は、本発明に係わる巻尺の各部位の組付工程を示す工程図であり、（ａ）図は、ケース２の開口２１にテープユニット３を挿入する工程である。（ｂ）図は、ケース２の開口２２にカバー４を挿入する工程である。
２は前方および後方の端に開口を有する筒状のケースで、一方に開口２１をもう一方に開口２２を有する。また、２３はケース２とテープユニット３の軸３２を補助的に固定するための固定ネジ５を通すネジ通孔である。
【００２３】
３はテープユニットで、３１はカバー４の係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３をケース２に挿入するときのガイドとなり、また、その突条３７の高さの選定により脱落防止や強度向上ができる。３８はテープ３４のテープ出入口である。
【００２４】
４はカバーで、４１はテープユニット３の係合凹３１と係着する係合ツメ、４２は突条で、カバー４をケース２に挿入するときのガイドとなり、また、その突条４２の高さの選定により脱落防止や強度向上ができる。７は巻尺１を携帯するときに用いられるストラップである。
【００２５】
図２は、各アッセンブリを組み付けた巻尺の一部透視側面図であり、ケース２の開口２１からテープユニット３を挿入し、ケース２の開口２２からカバー４を挿入して、テープユニット３の係合凹３１とカバー４の係合ツメ４１とを係着することによって巻尺１が完成する。
５はテープユニット３の軸３２に螺刻された雌ネジ（図示せず）と螺合してケース２とテープユニット３とを補助的に固定している固定ネジである。
【００２６】
図３は、巻尺の前面図であり、本図はテープユニット３にテープ３４を停止させるためのブレーキ機構（図示せず）を設けているものを示しており、６はそのブレーキ操作用のブレーキレバーである。図４は、巻尺の後面図である。
図５は、ケースの斜視図であり、（ａ）図は、ケースの前面斜視図であり、開口２１からテープユニット３が挿入される。（ｂ）図は、ケースの後面斜視図であり、開口２２からカバー４が挿入される。
【００２７】
図６は、本発明に係わる巻尺の他の形態の組付工程を示す工程図であり、（ａ）図は、ケース２ａの開口２１にテープユニット３ａを挿入する工程である。（ｂ）図は、ケース２ａの開口２２にカバー４ａを挿入する工程である。本図の巻尺１ａのケース２ａは、上方および下方の端に開口を有する筒状のものである。
２ａはその筒状のケースで、一方に開口２１をもう一方に開口２２を有する。２３はケース２ａとテープユニット３ａの軸３２を補助的に固定するための固定ネジ５を通すネジ通孔である。
【００２８】
３ａはテープユニットで、３１はカバー４ａの係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３ａをケース２ａに挿入するときのガイドとなり、また、その突条３７の高さの選定により脱落防止や強度向上ができる。３８はテープ３４のテープ出入口である。７は巻尺１ａを携帯するときに用いられるストラップである。
【００２９】
４ａはカバーで、４１はテープユニット３ａの係合凹３１と係着する係合ツメ、４２は突条で、カバー４ａをケース２ａに挿入するときのガイドとなり、また、その突条４２の高さの選定により脱落防止や強度向上ができる。
【００３０】
図７は、図６の巻尺の各アッセンブリを組み付けた巻尺の一部透視側面図であり、ケース２ａの開口２１からテープユニット３ａを挿入し、ケース２ａの開口２２からカバー４ａを挿入して、テープユニット３ａの係合凹３１とカバー４ａの係合ツメ４１とを係着することによって巻尺１ａが完成する。
５はテープユニット３ａの軸３２に螺刻された雌ネジ（図示せず）と螺合してケース２ａとテープユニット３ａとを補助的に固定している固定ネジである。
【００３１】
図８は、図６のケースの斜視図であり、（ａ）図は、ケースの底面斜視図であり、開口２１からテープユニット３ａが挿入される。（ｂ）図は、ケースの上面斜視図であり、開口２２からカバー４ａが挿入される。
【００３２】
図９は、本発明に係わる巻尺の他の形態の組み付け工程を示す工程図であり、（ａ）図は、ケース２ｂの開口２１にテープユニット３ｂを挿入する工程である。（ｂ）図は、ケース２ｂの開口２２にカバー４ｂを挿入する工程である。
本図の巻尺１ｂのケース２ｂは、前方および後方および上方の端に開口を有するコ字状のものである。
２ｂは前方および後方および上方の端に開口を有するコ字状のケースで、前方に開口２１を後方に開口２２を上方に開口２４を有する。２３はケース２ｂとテープユニット３ｂの軸３２を補助的に固定するための固定ネジ５を通すネジ通孔である。
【００３３】
３ｂはテープユニットで、３１はカバー４ｂの係合ツメ４１と係着する係合凹、３２は回転ドラム３３を支持する軸である。３４はテープで、先端に係止片が設けられ、また、テープ３４は回転ドラム３３の周囲の巻胴に巻回されて、回転ドラム３３に内装するコイルバネ３６で巻取り方向に付勢される。３７は突条で、テープユニット３ｂをケース２ｂに挿入するときのガイドとなり、また、その突条３７の高さの選定により脱落防止や強度向上ができる。３８はテープ３４のテープ出入口である。
【００３４】
４ｂはカバーで、４１はテープユニット３ｂの係合凹３１と係着する係合ツメ、４２は突条で、カバー４ｂをケース２ｂに挿入するときのガイドとなり、また、その突条４２の高さの選定により脱落防止や強度向上ができる。７は巻尺１ｂを携帯するときに用いられるストラップである。
そして、本図では図示していないが、テープユニット３ｂおよびカバー４ｂの突条３７／４２の付根部分に所定の深さの溝を形成し、その溝にケース２ｂの開口２１／２２／２４の周縁の一部または全部を嵌めることで、テープユニット３ｂおよびカバー４ｂはケース２ｂから外れ難くなる。
【００３５】
図１０は、図９の巻尺の各アッセンブリを組み付けた巻尺の一部透視側面図であり、ケース２ｂの開口２１と開口２４の一部からテープユニット３ｂを挿入し、ケース２ｂの開口２２と開口２４の一部からカバー４ｂを挿入して、テープユニット３ｂの係合凹３１とカバー４ｂの係合ツメ４１とを係着することによって巻尺１ｂが完成する。
５はテープユニット３ｂの軸３２に螺刻された雌ネジ（図示せず）と螺合してケース２ｂとテープユニット３ｂとを補助的に固定している固定ネジである。
【００３６】
図１１は、図９のケースの斜視図であり、（ａ）図は、ケースの前面斜視図であり、開口２１と開口２４の一部からテープユニット３ｂが挿入される。（ｂ）図は、ケースの後面斜視図であり、開口２２と開口２４の一部からカバー４ｂが挿入される。
【００３７】
【効果】
本発明の巻尺は以上のような構造且つ製造方法で、各アッセンブリがパズルのように組込まれそれが係着されて巻尺が完成するものである。
すなわち、従来のように左右ハーフケースをネジで固定して最終の組付けをするものと違い、本巻尺は組付け用のネジを一切使用することなく、各アッセンブリの組付けだけで巻尺を完成させることができる。従って、巻尺完成時の品質を一定且つ極めて高くすることができる。なぜなら、そのアッセンブリは金型から成型されるからである。また、誰でも簡単に且つ素早く巻尺を組立てることができ製造効率をも向上させることができる。
【００３８】
そして、巻尺ケースにはケースを周回する長い合わせ目はなく、従って、落下等によってケースに衝撃が加わった場合でも従来のようにケースがズレたりせず、また、そのズレによってケースが破損することがない。
そして、巻尺ケースの本体となるケース部を金属素材からでも容易に形成することができるので、従って、耐衝撃性が極めて高いレベルまで向上する。
上記の如くケースの本体を金属素材で形成する場合であっても、その形状が筒状またはコ字状といった単純な形状であるため、安価に金型等を製作することができる。
【図面の簡単な説明】
【図１】  本発明に係る巻尺の組付工程を示す工程図
【図２】  各アッセンブリを組付けた巻尺の一部透視側面図
【図３】  巻尺の前面図
【図４】  巻尺の後面図
【図５】  ケースの斜視図
【図６】  本発明に係る巻尺の他の形態の組付工程を示す工程図
【図７】  図６の巻尺の各アッセンブリを組付けた巻尺の一部透視側面図
【図８】  図６のケースの斜視図
【図９】  本発明に係る巻尺の他の形態の組付工程を示す工程図
【図１０】  図９の巻尺の各アッセンブリを組付けた巻尺の一部透視側面図
【図１１】  図９のケースの斜視図
【符号の説明】
１−巻尺，１ａ−巻尺，１ｂ−巻尺，２−ケース，２ａ−ケース，２ｂ−ケース，２１−開口，２２−開口，２３−ネジ通孔，２４−開口，３−テープユニット，３ａ−テープユニット，３ｂ−テープユニット，３１−係合凹，３２−軸，３３−回転ドラム，３４−テープ，３５−係止片，３６−コイルバネ，３７−突条，３８−テープ出入口，４−カバー，４ａ−カバー，４ｂ−カバー，４１−係合ツメ，４２−突条，５−固定ネジ，６−ブレーキレバー，６ａ−ブレーキボタン，７−ストラップ
【図１】
0004920149.tif 000002
【図２】
0004920149.tif 000003
【図３】
0004920149.tif 000004
【図４】
0004920149.tif 000005
【図５】
0004920149.tif 000006
【図６】
0004920149.tif 000007
【図７】
0004920149.tif 000008
【図８】
0004920149.tif 000009
【図９】
0004920149.tif 000010
【図１０】
0004920149.tif 000011
【図１１】
0004920149.tif 000012